(57)【特許請求の範囲】
【請求項１】
多数枚のウエットティッシュ（２１）が順次所定幅づつ重なりを有する状態で折畳まれたウエットティッシュ積層体（２）を柔軟で気密性のある包装袋（１）内に収納し、該包装袋（１）の上面被覆部（１０）に形成したウエットティッシュ取出口（１１）から袋内部のウエットティッシュ（２１）を順次１枚づつ取り出せ、しかも後続のウエットティッシュ（２１）の始端部（２１ｂ）がウエットティッシュ取出口（１１）から臨出する状態で保持されるようにしたウエットティッシュ包装体であって、
包装袋（１）の上面被覆部（１０）におけるウエットティッシュ取出口（１１）を挟んだ２位置に、適度の弾性を有する２枚の補強シート（３，４）を該各補強シートの各端縁（３２，４２）同士が若干幅だけ重合する状態でそれぞれ接着させるとともに、該各補強シート（３，４）のそれぞれ重合側の端縁（３２，４２）を上面被覆部（１０）及び他方の補強シートに対して無接着状態で近接させ、ウエットティッシュ（２１）が両補強シート（３，４）の各無接着端縁（３２，４２）をそれぞれ迂回して引出されるようにした、
ことを特徴とするウエットティッシュ包装体。
【発明の詳細な説明】
【０００１】
【発明の属する技術分野】
【０００２】
本願発明は、ウエットティッシュの積層体を収納した包装袋の中から、ウエットティッシュを順次１枚づつ取り出し得るようにしたウエットティッシュ包装体に関するものである。
【従来の技術】
【０００３】
ウエットティッシュは、例えば紙や不織布等のシート片に使用目的に応じた液体（例えば水に、アルコール、除菌剤、防腐剤、香料などを混入した液体）を含浸させたものである。尚、この種のウエットティッシュとしては、ミシン目を介して連続させた帯状シートをロール状に巻回したものもあるが、本願では予め矩形に裁断した多数枚の矩形シート（ウエットティッシュ）を、順次所定幅づつ重なりを有する状態で折畳んで積層させたウエットティッシュ積層体を対象にしている。
【０００４】
そして、この種のウエットティッシュ積層体は、水分の蒸発を防止するために、気密性のある包装袋内に収納した状態で（ウエットティッシュ包装体として）商品化されている。
【０００５】
ところで、この種のウエットティッシュ包装体は、保形性のあるプラスチック容器内に詰め替え用として使用することがあるが、その場合は別容器（プラスチック容器）が必要となる。そこで、近年では、ウエットティッシュ積層体の包装袋をそのまま容器として使用できるようにしたウエットティッシュ包装体が多用されている。
【０００６】
包装袋を容器として使用するウエットティッシュ包装体として、従来から図５に示すものが知られている（例えば、特許文献１参照）。この図５に示す公知（第１公知例）のウエットティッシュ包装体は、多数枚のウエットティッシュが順次所定幅づつ重なりを有する状態で折畳まれたウエットティッシュ積層体２を気密性のある包装袋１内に収納している。包装袋１は、薄手のプラスチックフイルム又はラミネートフイルム等の非常に柔軟な包材で形成されている。包装袋１の上面被覆部１０には、長円形のウエットティッシュ取出口１１が形成されており、該ウエットティッシュ取出口１１から袋内部のウエットティッシュを順次１枚づつ取り出せるようになっている。又、ウエットティッシュ取出口１１からウエットティッシュを取り出した後には、後続のウエットティッシュ２１の始端部２１ｂをウエットティッシュ取出口１１から臨出させた状態で保持し得るようになっている。尚、不使用時には、ウエットティッシュ取出口１１はシール蓋５でシールされる。
【０００７】
又、別の公知（第２公知例）のウエットティッシュ包装体として、図６及び図７に示すものが知られている（例えば、特許文献２参照）。この図６及び図７に示す第２公知例のウエットティッシュ包装体は、柔軟な包装袋１内にウエットティッシュ積層体２を収納しているとともに、包装袋１の上面被覆部１０に直線状のウエットティッシュ取出口１１を形成している。尚、この第２公知例のウエットティッシュ包装体は、主として保形性のあるプラスチック容器内に詰め替え用として使用される場合が多い。
【０００８】
ところで、この種のウエットティッシュ包装体では、最上部の１枚のウエットティッシュ２１を引き出したときに、その引き出したウエットティッシュの終端部２１ａ（図７参照）が後続のウエットティッシュの始端部２１ｂから分離し、且つ後続のウエットティッシュの始端部２１ｂがウエットティッシュ取出口１１に保持されるようにすることが必要である。
【０００９】
その場合、先・後のウエットティッシュの分離機能については、各ウエットティッシュ２１，２１の重なり部分の結合力と、ウエットティッシュ取出口１１による分離力とのバランスが重要である。即ち、各ウエットティッシュ２１，２１の重なり部分Ｗ（図７）の結合力は、ティッシュの性状（不織布の厚み・原料構成・繊維方向）、重なり面積、含浸水の粘度・量等によって変化し、他方、ウエットティッシュ取出口１１による分離力は、該取出口１１の形状・面積・長さ・形成方向・形成位置、袋内のウエットティッシュ２１の残量（残量が多いときには後続のウエットティッシュに対する圧迫力が大きいが、残量が少なくなるとその圧迫力が小さくなる）、包装材（取出口１１部分）の剛軟度、等で変化する。尚、ウエットティッシュ取出口１１の形状・大きさは、最初に袋内のウエットティッシュを摘まんで引き出す際の指差込みの容易性が考慮される。
【００１０】
【特許文献１】
実開平５−８１０８３号公報
【特許文献２】
登録実用新案第３０５９６３３号公報
【発明が解決しようとする課題】
【００１１】
ところで、この種のウエットティッシュ包装体では、各ウエットティッシュ２１，２１に水を含浸させているので、各ティッシュの重なり幅（例えば、図７の符号Ｗの範囲）が比較的小さくても、その重なり部分はかなり大きな結合力を有している。
【００１２】
そして、図５に示す第１公知例のウエットティッシュ包装体では、包装袋１が非常に柔軟なフイルムであり、且つウエットティッシュ取出口１１が長円形でかなりの開口面積を有しているので、袋内のウエットティッシュ２１をウエットティッシュ取出口１１から引き出す際に、該ウエットティッシュ２１に対する抵抗力（先・後のウエットティッシュの重なり部分の分離力）が比較的小さい。従って、この種のウエットティッシュ包装体では、ウエットティッシュを１枚引き出したときに後続のウエットティッシュが連続して引き出される（いわゆるズル現象が発生する）ことがあった。特に、包装袋１内のウエットティッシュ２１の量が少なくなる（ウエットティッシュ積層体２の嵩が低くなる）ほど、後続のウエットティッシュ２１に対する袋の圧迫力が小さくなって余計にズル現象（連続引き出し現象）が発生し易くなる。又、この図５のウエットティッシュ包装体のように、ウエットティッシュ取出口１１の開口面積が大きいと、袋内のウエットティッシュ積層体２の量が少なくなったときに、ウエットティッシュ２１の始端部２１ｂがウエットティッシュ取出口１１部分で保持できずに、該ウエットティッシュ始端部２１ｂが袋内に落ち込むことがあり、次のウエットティッシュ取り出し作業が面倒になるという問題があった。
【００１３】
又、図６及び図７に示す第２公知例のウエットティッシュ包装体では、ウエットティッシュ取出口１１が線状であるのでその開口面積は小さいものの、該ウエットティッシュ取出口１１は非常に柔軟な包装袋１に単に線状に形成したものであるから、ウエットティッシュの引出し時に、図７に示すようにウエットティッシュ取出口１１の端縁１１ａが容易に上方に撓んでしまう。従って、この第２公知例のものでも、ウエットティッシュ取出口１１部分による先・後のウエットティッシュ２１，２１の分離力が小さく（ズル現象が起こり易い）、且つ袋内のウエットティッシュ２１の量が少なくなったときのウエットティッシュ始端部２１ｂに対する保持力が小さい（ウエットティッシュ始端部２１ｂが袋内に落ち込み易い）という問題がある。
【００１４】
本願発明は、上記した各公知例のウエットティッシュ包装体の問題点に鑑み、包装袋の上面被覆部に形成されるウエットティッシュ取出口部分を改良して、ウエットティッシュ引出し時に、後続のウエットティッシュが連続して引き出されるズル現象を防止するとともに、後続のウエットティッシュ始端部をウエットティッシュ取出口部分で確実に保持し得るようにすることを目的としてなされたものである。
【課題を解決するための手段】
【００１５】
本願発明は、上記課題を解決するための手段として次の構成を有している。尚、本願発明は、ウエットティッシュの積層体を収納した包装袋の中から、ウエットティッシュを順次１枚づつ取り出し得るようにしたウエットティッシュ包装体を対象にしている。
【００１６】
本願発明のウエットティッシュ包装体は、ウエットティッシュの積層体を包装袋内に収納し、包装袋の上面被覆部に形成したウエットティッシュ取出口から包装袋内部のウエットティッシュを順次１枚づつ取り出せるように構成されている。
【００１７】
ウエットティッシュ積層体は、所定面積の矩形に切断された多数枚（例えば５０〜１００枚）のウエットティッシュを順次所定幅づつ重なりを有する状態で折畳んで積層させている。尚、このウエットティッシュは、例えば紙や不織布等に使用目的に応じた液体（例えば水に、アルコール、除菌剤、防腐剤、香料などを混入した液体）を含浸させたものである。
【００１８】
包装袋は、気密性及び耐水性を有する薄手のプラスチックフイルム又はラミネートフイルム等の柔軟な包材で形成されている。尚、この包装袋は、内部に所定量のウエットティッシュ積層体を収納した状態で例えばヒートシールにより密封されている。
【００１９】
包装袋上面被覆部のウエットティッシュ取出口は、線状で開口面積がほとんどないのものでも、長円形や楕円形等の適宜の開口面積があるものでもよい。尚、この包装袋側のウエットティッシュ取出口は、後述のように先・後のウエットティッシュの分離機能及びウエットティッシュ始端部の保持機能がないものでもよい。
【００２０】
そして、本願発明のウエットティッシュ包装体では、包装袋の上面被覆部におけるウエットティッシュ取出口を挟んだ２位置に、２枚の補強シートを該各補強シートの各端縁同士が若干幅だけ重合する状態でそれぞれ接着させるとともに、該各補強シートのそれぞれ重合側の端縁を上面被覆部及び他方の補強シートに対して無接着状態で近接させ、ウエットティッシュが両補強シートの各無接着端縁をそれぞれ迂回して引出されるようにしている。
【００２１】
各補強シートは、比較的腰の強いプラスチックシートが採用されている。従って、この各補強シートには、適度の弾性（可撓性と復元性）を有している。この各補強シートの材料としては、例えば厚さが４０〜１５０ミクロン程度のポリエステルシートが採用可能である。そして、この各補強シートは、包装袋上面被覆部に、ウエットティッシュ取出口を完全に被覆する状態で接着させている。尚、この各補強シートの接着位置は、包装袋上面被覆部の表裏何れの面でもよいが、包装袋の外面には一般に化粧用印刷が施される関係で、各該補強シートは上面被覆部の裏面側に接着させる方が好ましい。
【００２２】
２枚の補強シートにはそれぞれウエットティッシュ取出口を形成していないが、ウエットティッシュの引き出し時に、該ウエットティッシュが両補強シートの各無接着端縁部分（２箇所）においてそれぞれ屈曲させられながら引き出されていくので、該ウエットティッシュの通過抵抗が大きくなる。従って、先行側ウエットティッシュの終端部が両補強シートの各無接着端縁部分間を通過した時点で先行側ウエットティッシュを後続側ウエットティッシュから分離させるとともに、該ウエットティッシュの分離と同時に（後続側ウエットティッシュに対する引き出し力がなくなる）、後続側ウエットティッシュの始端部を該両補強シートの各無接着端縁部分間で保持（挟持）するようになる。
【００２３】
尚、包装袋上面被覆部のウエットティッシュ取出口は、繰り返して開閉可能なシール蓋で閉塞される。
【発明の効果】
【００２４】
本願発明のウエットティッシュ包装体では、包装袋の上面被覆部におけるウエットティッシュ取出口を挟んだ２位置に、２枚の補強シートを該各補強シートの各端縁同士が若干幅だけ重合する状態でそれぞれ接着させるとともに、該各補強シートのそれぞれ重合側の端縁を上面被覆部及び他方の補強シートに対して無接着状態で近接させ、ウエットティッシュが両補強シートの各無接着端縁をそれぞれ迂回して引出されるようにしている。
【００２５】
従って、本願発明のウエットティッシュ包装体では、ウエットティッシュの引き出し時に、該ウエットティッシュが両補強シートの各無接着端縁部分において順次屈曲させられながら引き出されていくので、ウエットティッシュの通過抵抗が大きくなり、先・後のウエットティッシュの分離機能が一層向上するとともに、後続側ウエットティッシュ始端部が各補強シートの無接着端縁（２箇所）の弾性力で確実に保持できるという効果がある。
【発明の実施の形態】
【００２６】
以下、図１〜図４を参照して、本願実施形態のウエットティッシュ包装体を説明する。
【００２７】
この実施形態のウエットティッシュ包装体は、多数枚のウエットティッシュ２１（図２参照）を折畳み状態で積層してなるウエットティッシュ積層体２を気密性のある包装袋１内に収納して形成している。
【００２８】
ウエットティッシュ積層体２は、所定面積の矩形に切断された多数枚のウエットティッシュ２１を図２に示すように順次所定幅Ｗ（例えばＷ＝２〜３cm程度）づつ重なりを有する状態で折畳んで積層させている。このウエットティッシュ２１は、例えば紙や不織布等のシート片に使用目的に応じた液体（例えば水に、アルコール、除菌剤、防腐剤、香料などを混入した液体）を含浸させている。従って、各ウエットティッシュ２１，２１・・の重なり幅Ｗが比較的小幅であっても、液体の含浸により両ウエットティッシュ２１，２１の重なり部分の結合力（摩擦力）は比較的大きくなっている。
【００２９】
包装袋１は、気密性及び耐水性を有する柔軟なフイルム材で形成されている。尚、この包装袋１は、内部に所定量のウエットティッシュ積層体２を収納した状態で例えばヒートシールにより密封されている。
【００３０】
包装袋１の上面被覆部１０には、その中心位置Ｐにウエットティッシュ取出口１１が形成されている。このウエットティッシュ取出口１１は、線状で開口面積がほとんどないものでも、長円形や楕円形等の適宜の開口面積があるものでもよいが、この実施形態ではウエットティッシュ取出口１１として楕円形のものを採用している。尚、このウエットティッシュ取出口１１の口縁部は、包装袋１が柔軟なフイルム材で形成されている関係で、剛性に乏しく、非常に簡単に撓む性質がある。
【００３１】
この実施形態のウエットティッシュ包装体は、包装袋１をそのまま容器として使用し得るものであり、包装袋上面被覆部１０のウエットティッシュ取出口１１には、袋内のウエットティッシュ２１が乾燥するのを防止するためのシール蓋５が取付けられている。尚、このシール蓋５は、基端側が強固に接着されており、ツマミ５ａ側を繰り返して開閉することができるようになっている。
【００３２】
又、このウエットティッシュ包装体には、包装袋上面被覆部１０の下面におけるウエットティッシュ取出口１１を挟んだ２位置に２枚の補強シート３，４が取付けられている。
【００３３】
この各補強シート３，４は、例えば厚さが４０〜１５０ミクロン程度のポリエステルシートが採用可能である。この補強シート３は、適度の弾性力を有しており、外部からの撓曲力が加わると適度に撓曲し得るとともに、外部撓曲力がなくなると元の形状に復元する性質を有している。
【００３４】
この各補強シート３，４は、その各端縁３２，３４同士が若干幅（例えば３〜５mm程度）だけ重合する状態でそれぞれ幅Ｎ（例えばＮ＝２０〜３０mm）づつ接着させるとともに、該各補強シート３，４のそれぞれ重合側の端縁３２，４２を上面被覆部１０及び他方の補強シート３に対して無接着状態で近接させている。即ち、図４に示すように、一方の補強シート３の無接着端縁（下側）３２と他方の補強シート４の無接着端縁（上側）４２との間にウエットティッシュ２１を通過させ得る隙間を設けるとともに、上側の無接着端縁４２とウエットティッシュ取出口１１との間にもウエットティッシュ２１を通過させ得る隙間を設けている。そして、包装袋１内のウエットティッシュ２１は、一方の補強シート３の無接着端縁（下側）３２を迂回し、続いて他方の補強シート４の無接着端縁（上側）４２を迂回した後、ウエットティッシュ取出口１１を通して上方に引き出すようにしている。
【００３５】
この実施形態のウエットティッシュ包装体は、包装袋上面被覆部１０のウエットティッシュ取出口１１をシール蓋５で閉塞した状態で出荷される。そして、購入者が使用するときには、図１に示すようにシール蓋５を開いて、包装袋上面被覆部１０のウエットティッシュ取出口１１及び両補強シート３，４の各重合側端縁３２，４２間に指を差し込んで包装袋１内の最上部のウエットティッシュ２１を摘まみ、上方に引き出す。すると、引き出した先行側ウエットティッシュ２１の終端部２１ａに後続側ウエットティッシュ２１の始端部２１ｂが接合した状態でウエットティッシュ取出口１１，３１から引き出される。
【００３６】
このとき、２枚の補強シート３，４にはそれぞれウエットティッシュ取出口を形成していないが、ウエットティッシュ２１の引き出し時に、該ウエットティッシュが両補強シート３，４の各無接着端縁３２，４２部分において順次屈曲させられながら引き出されていくので、該ウエットティッシュ２１の通過抵抗が大きくなる。従って、該両補強シート３，４の各無接着端縁３２，４２部分において先・後のウエットティッシュ２１，２１の分離が確実に行われる。又、先行側ウエットティッシュ２１が完全に分離すると、両補強シート３，４の各無接着端縁３２，４２部分の弾性力によって、そこで後続側ウエットティッシュ２１の始端部２１ｂを確実に保持（挟持）するようになる。
【図面の簡単な説明】
【図１】  本願実施形態のウエットティッシュ包装体の斜視図である。
【図２】  図１のII−II断面相当図である。
【図３】  図１のウエットティッシュ包装体の平面図である。
【図４】  図３のIV−IV拡大断面図である。
【図５】  第１公知例のウエットティッシュ包装体の斜視図である。
【図６】  第２公知例のウエットティッシュ包装体の斜視図である。
【図７】  図６のVII-VII断面相当図である。
【符号の説明】
１は包装袋、２はウエットティッシュ積層体、３，４は補強シート、５はシール蓋、１０は上面被覆部、１１はウエットティッシュ取出口、２１はウエットティッシュ、２１ａはウエットティッシュ終端部、２１ｂはウエットティッシュ始端部、３２，４２は端縁、Ｐは中心位置である。
【図１】
0004109533.tif 000002
【図２】
0004109533.tif 000003
【図３】
0004109533.tif 000004
【図４】
0004109533.tif 000005
【図５】
0004109533.tif 000006
【図６】
0004109533.tif 000007
【図７】
0004109533.tif 000008